(57)【要約】【課題】同期プロセスの性能を向上させる。【解決手段】二次同期符号（ＳＳＣ）をＴＤＤモードで動作する通信システムの基地局に割りつける方法であって、前記システムは、１６個の使用可能な二次同期符号（ＳＳＣ０，ＳＳＣ１，ＳＳＣ２，ＳＳＣ３，ＳＳＣ４，ＳＳＣ５，ＳＳＣ６，ＳＳＣ７，ＳＳＣ８，ＳＳＣ９，ＳＳＣ１０，ＳＳＣ１１，ＳＳＣ１２，ＳＳＣ１３，ＳＳＣ１４，ＳＳＣ１５）の中の１２個の二次同期符号（ＳＳＣ）からなる所定の組を使用し、基地局は、同期チャネルを介して、一次同期符号（ＰＳＣ）を送信するとともに、前記所定の組に属している３個の二次同期符号からなるサブセットを送信し、サブセットは、基地局に割りつけられ、前記所定の組は｛ＳＳＣ０、ＳＳＣ１，ＳＳＣ３、ＳＳＣ４、ＳＳＣ５、ＳＳＣ６、ＳＳＣ８、ＳＳＣ１０、ＳＳＣ１２、ＳＳＣ１３、ＳＳＣ１４、ＳＳＣ１５｝である。【選択図】図１
2011176857.tif 000002
【特許請求の範囲】
【請求項１】
二次同期符号（ＳＳＣ）を、ＴＤＤモードで動作する通信システムの基地局に割りつける方法であって、
前記システムは、１６個の使用可能な二次同期符号（ＳＳＣ０，ＳＳＣ１，ＳＳＣ２，ＳＳＣ３，ＳＳＣ４，ＳＳＣ５，ＳＳＣ６，ＳＳＣ７，ＳＳＣ８，ＳＳＣ９，ＳＳＣ１０，ＳＳＣ１１，ＳＳＣ１２，ＳＳＣ１３，ＳＳＣ１４，ＳＳＣ１５）の中の１２個の二次同期符号（ＳＳＣ）からなる所定の組を使用し、
前記基地局は、同期チャネルを介して、一次同期符号（ＰＳＣ）を送信するとともに、前記所定の組に属している３個の二次同期符号からなるサブセットを送信し、
前記サブセットは、前記基地局に割りつけられ、
前記所定の組は｛ＳＳＣ０、ＳＳＣ１，ＳＳＣ３、ＳＳＣ４、ＳＳＣ５、ＳＳＣ６、ＳＳＣ８、ＳＳＣ１０、ＳＳＣ１２、ＳＳＣ１３、ＳＳＣ１４、ＳＳＣ１５｝
であることを特徴とする二次同期符号（ＳＳＣ）を割りつける方法。
【請求項２】
基地局と移動局とを備えた通信システムであって、
前記システムは、１６個の使用可能な二次同期符号（ＳＳＣ０，ＳＳＣ１，ＳＳＣ２，ＳＳＣ３，ＳＳＣ４，ＳＳＣ５，ＳＳＣ６，ＳＳＣ７，ＳＳＣ８，ＳＳＣ９，ＳＳＣ１０，ＳＳＣ１１，ＳＳＣ１２，ＳＳＣ１３，ＳＳＣ１４，ＳＳＣ１５）の中の１２個の二次同期符号（ＳＳＣ）からなる所定の組を使用するように構成され、
前記基地局は、同期チャネルを介して、一次同期符号（ＰＳＣ）を送信するとともに、前記所定の組に属している３個の二次同期符号からなるサブセットを送信するように構成され、
前記サブセットは、前記基地局に割りつけられ、
前記所定の組は、｛ＳＳＣ０、ＳＳＣ１，ＳＳＣ３、ＳＳＣ４、ＳＳＣ５、ＳＳＣ６、ＳＳＣ８、ＳＳＣ１０、ＳＳＣ１２、ＳＳＣ１３、ＳＳＣ１４、ＳＳＣ１５｝
であることを特徴とする通信システム。
【請求項３】
基地局と移動局とを備えたＴＤＤ通信システムのための基地局であって、
前記システムは、１６個の使用可能な二次同期符号（ＳＳＣ０，ＳＳＣ１，ＳＳＣ２，ＳＳＣ３，ＳＳＣ４，ＳＳＣ５，ＳＳＣ６，ＳＳＣ７，ＳＳＣ８，ＳＳＣ９，ＳＳＣ１０，ＳＳＣ１１，ＳＳＣ１２，ＳＳＣ１３，ＳＳＣ１４，ＳＳＣ１５）の中の１２個の二次同期符号（ＳＳＣ）からなる所定の組を使用するように構成され、
前記基地局は、同期チャネルを介して、一次同期符号（ＰＳＣ）を送信するとともに、前記所定の組に属している３個の二次同期符号からなるサブセットを送信するように構成され、
前記サブセットは、前記基地局に割りつけられ、
前記所定の組は、
｛ＳＳＣ０、ＳＳＣ１，ＳＳＣ３、ＳＳＣ４、ＳＳＣ５、ＳＳＣ６、ＳＳＣ８、ＳＳＣ１０、ＳＳＣ１２、ＳＳＣ１３、ＳＳＣ１４、ＳＳＣ１５｝
であることを特徴とする基地局。
【発明の詳細な説明】
【技術分野】
【０００１】
この発明は、移動体通信システムの基地局に二次同期符号を割りつける方法、通信システム、および、基地局に関するものである。
【背景技術】
【０００２】
本発明は、移動局と通信できる多くの基地局を含む移動体通信システムに関する。移動局から基地局への通信はアップリンクＵＬ（up-link）によって行われ、基地局から移動局への通信はダウンリンクＤＬ（down-link）によって行われる。
【０００３】
本発明はまた、異なるユーザ信号が時間領域および符号領域の両方で分離されている通信システムにも関する。このようなシステムの例はいわゆるＵＭＴＳ  ＴＤＤシステム（汎用移動通信システム−時分割多重）またはＷ−ＣＤＭＡ  ＴＤＤシステム（広帯域符号分割多元接続−時分割多重）であり、ここで時間領域はＴＤＤ−システムの構成要素によって表され、符号領域はＷ−ＣＤＭＡ−システムの構成要素によって表される。
【０００４】
特に、時間領域では、送信（伝送）は、例えば、多くの（たとえば１５の）タイムスロットから構成される無線フレームに基づいて構成される。アップリンク（移動局から基地局へ）およびダウンリンク（基地局から移動局へ）の両方で同じ周波数が使用される。さらに、時間分割（time-separation）を使用して、フレームごとに使用可能なすべてのタイムスロットのサブセットが排他的にダウンリンク送信に割りつけられ、残りがアップリンク送信に割りつけられるようにダウンリンクとアップリンクが区別される。フレーム内では、少なくとも１つのタイムスロットが常に各ダウンリンクおよびアップリンクに割りつけられる。
【０００５】
このようなシステムでは、異なるユーザの信号は個別のタイムスロット内で送信でき、たとえば、Ｎ個の異なるダウンリンクのタイムスロットはＮ個の異なるダウンリンクのユーザ信号に割りつけられる。これはこのシステムの時分割の態様（aspect）である。さらに、いくつかのユーザ信号はまた異なる拡散符号を使用することによって１つのタイムスロット内で送信できる。これはこのシステムの符号分割の態様である。各ユーザが異なる拡散符号を割りつけられ、各ユーザのビットは使用された拡散係数の関数としてチップレートに拡散されることに注意されたい。
【０００６】
このようなシステムでは、ネットワークは基地局によってカバーされた各セルに異なるセルパラメータを割りつけ、これによって、その基地局への接続を確立しようと試みる任意の移動局は、基地局との通信のために必要なセル放送情報を読み取ることができる。これらのセルパラメータはたとえば、ミドアンブル数およびスクランブル符号を示す。ミドアンブルは複素数値または実数値のチップシーケンスで、受信者（ダウンリンクの移動局）によって使用され、ユーザの信号を検索するために必要なチャネル推定を行う。スクランブル符号は送信者（ダウンリンクの基地局）によって使用され、ユーザの信号をスクランブルして、隣接するセル内で送信または受信しているユーザに引き起こされた干渉を平均化する。
【０００７】
移動局はスイッチを入れられると、その局がある領域をカバーする少なくとも１つのセルのチップタイミング、スロットタイミングおよびフレームタイミングを検出し、ついで、ミドアンブルとスクランブル符号が使用されていることを検出してからでなければ、セル放送情報を復調し読み取ることはできない。その後、移動局がセルに「同期」されると、特にチップタイミングが失われていないことを追跡機構が確認する。
【０００８】
各基地局は各セルに関してチャネル上でセル放送情報を送信し、チャネルは一般にいわゆる一次共通制御物理チャネル（Ｐ−ＣＣＰＣＨ）である。チャネルはまた、一次共通制御物理チャネルＰ−ＣＣＰＣＨによって示される二次共通物理チャネル（Ｓ−ＣＣＰＣＨ）である場合もある。
【０００９】
Ｗ−ＣＤＭＡ  ＴＤＤ内の一次共通制御物理チャネルＰ−ＣＣＰＣＨは一定の拡散係数を有する、一定かつあらかじめ割りつけられた拡散符号を一般に使用し、たとえば、その拡散符号はＷ−ＣＤＭＡ  ＴＤＤシステムのすべてのセルで同じであり、したがって、移動局によって常にあらかじめ知られていることに注意されたい。
【００１０】
物理同期チャネル（ＰＳＣＨ）もまた、ダウンリンクのこれらのタイムスロット内で同時に送信され、ここで一次共通物理チャネルＰ−ＣＣＰＣＨは一次共通制御物理チャネル（Ｐ−ＣＣＰＣＨ）へ同期する目的で送信される。物理同期チャネルは本質的には、一次同期符号ＰＳＣおよびＫ個の二次同期符号ＳＳＣの組という２つの特殊信号から成る。二次同期符号ＳＳＣの数Ｋは一般には３である。一次共通物理チャネルＰ−ＣＣＰＣＨは、一次同期チャネルＰＳＣＨが同時に存在しない時には、特定のタイムスロットに割りつけられることはない。移動局が、一次同期チャネルＰＳＣＨが送信されているタイムスロットを検出すると、一次共通物理チャネルＰ−ＣＣＰＣＨもまたこのタイムスロット内にあることが分かる。
【００１１】
並列に送信されるＫ個の二次同期符号ＳＳＣの各々はｎ個の状態を有するシンボル、すなわち、変調された４相位相変調（ＱＰＳＫ）シンボルを拡散し、合計でｎk個のＱＰＳＫコードワードを与える。
【００１２】
一方では、符号セットの組、たとえば、ＱＰＳＫシンボルを拡散する（夫々）異なったトリプレット、他方では、これらのＱＰＳＫ−シンボルの変調は下記を指すために使用される。
・１つまたは複数のセルパラメータ、たとえば、１つまたは複数のスクランブル符号と共に１つまたは複数の基本的ショートミドアンブル符号またはロングミドアンブル符号が一意的に定義されている符号グループ。
・二重フレーム期間内の一次同期チャネルＰＳＣＨの位置。
・１フレーム内の現在の一次同期チャネルＰＳＣＨタイムスロットの位置。
【００１３】
最後に、電源投入時に、移動局は、まず相関プロセスを実行することによって、セルをカバーする基地局によって一次同期チャネルＰＳＣＨ上で送信された一次同期符号ＰＳＣの存在を検出し、検出された時間位置を使用して、一般には１６個であるすべての可能な二次同期符号ＳＳＣと相関化する。たとえば、一次同期符号ＰＳＣを二次同期符号ＳＳＣの位相基準として使用することなどによって一貫した検出を実行することによって、Ｋ個の検出された二次同期符号ＳＳＣによって拡散されたＱＰＳＫシンボルを検出することができる。この情報から、フレーム期間内の一次同期チャネルＰＳＣＨスロットの時間位置および、基地局が属する符号グループを導出することができる。最後のステップで、検出された符号グループ内に含まれる依然として可能なすべてのスクランブル符号および基本ミドアンブル符号を試すことによって、移動局は一次共通制御物理チャネルＰ−ＣＣＰＣＨ上のバーストを復調することができる。
【００１４】
各二次同期符号ＳＳＣは異なるバイナリ値のチップシーケンスであり、特定のインデックスで参照される。たとえば、１６個の二次同期符号ＳＳＣが移動体通信システム内で可能である時、各二次同期符号ＳＳＣは、次の値のうちの１つによって示される。
ＳＳＣ0、ＳＳＣ1、ＳＳＣ2、・・・ＳＳＣ15
【００１５】
たとえば、二次同期符号ＳＳＣの各々は技術仕様３ＧＰＰ  ＴＳＧ  ＲＡＮ  ＴＳ２５．２１３  ｖ３２０「Spreading and Modulation（ＦＤＤ）」のセクション５．２．３．１、２１ｆｆページおよび、３ＧＰＰ  ＴＳＧ  ＲＡＮ  ＴＳ２５．２２３  ｖ３２０「Spreading and Modulation（ＴＤＤ）」のセクション７．１、１０ｆｆページに定義されている規則にしたがって形成される。
【００１６】
使用可能な二次同期符号ＳＳＣのすべてが、上記の同期目的のために１つのセル内で同時に使用されるわけではない。現在セルに割りつけられているＫ個の二次同期符号ＳＳＣの各組の選択を行うために、ネットワークはＮ個の可能な符号から、第１のＫ個の二次同期符号ＳＳＣ、ついで、第２のＫ個の二次同期符号ＳＳＣ、以下同様を取り出す。Ｎ個のうちＭ個が選ばれ、残りのＮ−Ｍ個は使用されない。Ｗ−ＣＤＭＡ  ＴＤＤシステムに関しては、Ｋは３でＮは１６であり、簡単に説明するために、次の４つの符号グループ（たとえばＳＳＣのトリプレット）がネットワークによって選択され、特定のセルに割りつけられる。
符号グループ１：ＳＳＣ0、ＳＳＣ1、ＳＳＣ2
符号グループ２：ＳＳＣ3、ＳＳＣ4、ＳＳＣ5
符号グループ３：ＳＳＣ6、ＳＳＣ7、ＳＳＣ8
符号グループ４：ＳＳＣ9、ＳＳＣ10、ＳＳＣ11
【００１７】
したがって、Ｎ個の使用可能な二次同期符号のうち、Ｍ＝Ｋ＊Ｌ個の二次同期符号のみが同期の目的のために使用される。
【先行技術文献】
【非特許文献】
【００１８】
【非特許文献１】３ＧＰＰ  ＴＳＧ  ＲＡＮ  ＴＳ２５．２１３  ｖ３２０「Spreading and Modulation（ＦＤＤ）」のセクション５．２．３．１、２１ｆｆページおよび、３ＧＰＰ  ＴＳＧ  ＲＡＮ  ＴＳ２５．２２３  ｖ３２０「Spreading and Modulation（ＴＤＤ）」のセクション７．１、１０ｆｆページ
【発明の概要】
【発明が解決しようとする課題】
【００１９】
上記の同期プロセスの性能は、送信の間または、一次同期符号ＰＳＣおよび二次同期符号ＳＳＣの検索のために実行される相関プロセスの間に発生し得るエラーに極めて影響されやすい。
【００２０】
本発明の目的は、移動体通信システムの基地局に二次同期符号を割りつける方法を提供し、同期プロセスの性能を向上させることである。
【課題を解決するための手段】
【００２１】
一般に、本発明に係るシステムにおいては、各基地局は、その基地局によってカバーされるセルにそれぞれ割りつけられた一次同期符号ＰＳＣおよびＫ個の二次同期符号ＳＳＣの組を連続的に送信する。したがって、どの移動局においても、スイッチを入れられた場合、その基地局から受信された一次同期符号ＰＳＣおよび二次同期符号の組に基づいて、少なくとも１つの基地局と同期し、セルパラメータを読み出すことができる。さらに、Ｎ個の使用可能な二次同期符号ＳＳＣのすべての中から、所定の固定数のＭ個の二次同期符号ＳＳＣだけが使用される。
【００２２】
本発明の一特徴によれば、この方法はＮ個の可能な二次同期符号ＳＳＣと一次同期符号ＰＳＣの自己相関関数および／または相互相関関数を計算し評価するステップと、そのＮ個の可能な二次同期符号ＳＳＣからＭ個の二次同期符号ＳＳＣを選択し、選択されたＭ個の二次同期符号ＳＳＣが検出の点から最良である自己相関関数および相互相関関数の統計的な特徴のうち少なくとも１つを有するようにするステップと、そのＭ個の二次同期符号ＳＳＣからＫ個の二次同期符号ＳＳＣを含むサブセットを基地局に割りつけるステップとを含む。
【００２３】
自己相関関数および相互相関関数は全範囲に渡って評価することもできるし、また、限定されたウィンドウに渡って評価することもできることに注意されたい。すなわち、すべての可能な自己相関値または相互相関値のサブセットを評価のために取り出すことができる。
【００２４】
これらの同期符号の統計的な自己相関関数の特性は、誤った検出を行う確率に直接影響を与えるため、セル検出性能に特に重要であることが発見されている。
【００２５】
また、一次同期符号ＰＳＣおよび１つまたは複数の二次同期符号ＳＳＣが並列で送信される時はいつでも、一次同期符号ＰＳＣの自己相関関数および二次同期符号ＳＳＣの自己相関関数は、別の同期符号が同時に存在することによって引き起こされる望ましくない相互相関関数の影響を受ける。
【００２６】
本発明の別の特徴によれば、選択ステップは次の相関関数のうち任意の統計的な特徴または特徴の組み合わせの評価に基づいており、その相関関数は次のとおりである。
（１）  各二次同期符号ＳＳＣの自己相関関数
（２）  各二次同期符号ＳＳＣと一次同期符号ＰＳＣのクロス関数
（３）  各二次同期符号ＳＳＣと任意の他の二次同期符号ＳＳＣのクロス関数
【００２７】
上記の基準は個別に適用される場合もあれば、組み合わせて適用される場合もある。
【発明の効果】
【００２８】
移動体通信システムの基地局に二次同期符号を割りつける方法において、同期プロセスの性能を向上させる。
【図面の簡単な説明】
【００２９】
【図１】二次同期符号ＳＳＣ3および二次同期記号ＳＳＣ7の自己相関関数を表す図である。
【図２】二次同期符号ＳＳＣ3および二次同期記号ＳＳＣ7のそれぞれと一次同期符号ＰＳＣとの相互相関関数を表す図である。
【図３】二次同期符号ＳＳＣ3と他のすべての二次同期符号ＳＳＣとの相互相関関数の統計的な特性、および二次同期符号ＳＳＣ7と他のすべての二次同期符号ＳＳＣとの相互相関関数の統計的な特性に関しても観察される、二次同期符号ＳＳＣ3と二次同期符号ＳＳＣ7の差を示す図である（図３では連続的な順番で示される）。
【図４】Ｗ−ＣＤＭＡ  ＴＤＤシステムにおいて使用可能な最新の同期符号の、自己相関関数および相互相関関数の統計的な特性を示す表を示す図である。
【発明を実施するための形態】
【００３０】
図１および図２はそれぞれ、二次同期符号ＳＳＣ3と二次同期符号ＳＳＣ7の自己相関関数および、これらそれぞれと一次同期符号ＰＳＣとの相互相関関数を示す。図１および図２に関して使用されている同期符号は、Ｗ−ＣＤＭＡ  ＴＤＤシステムにおいて使用可能な、現在の技術水準における最新の同期符号である。
【００３１】
これらの例から、二次同期符号ＳＳＣ3およびＳＳＣ7の自己相関関数はまったく異なっており、検出の点では、二次同期符号ＳＳＣ3の自己相関関数のほうが優れていることが明らかになる。さらに、一次同期符号ＰＳＣと二次同期符号ＳＳＣ3の相互相関関数は、一次同期符号ＰＳＣと二次同期符号ＳＳＣ7の相互相関よりも検出の点で劣る。
【００３２】
図３は、二次同期符号ＳＳＣ3と他のすべての二次同期符号ＳＳＣとの相互相関関数の統計的な特徴、および二次同期符号ＳＳＣ7と他のすべての二次同期符号ＳＳＣとの相互相関関数の統計的な特徴に関しても観察される、二次同期符号ＳＳＣ3と二次同期符号ＳＳＣ7の差を示す（図３では連続的な順番で示されている）。
【００３３】
本発明の一態様によれば、この統計的な特徴は自己相関関数および／または相互相関関数が含む合計エネルギの１つまたは複数の特徴である。
【００３４】
統計的に、自己相関関数はその最大の自己相関サイドローブ値（ＭＡＳ−値）によって特徴づけられる。また、その最大サイドローブの複数の値によっても特徴づけられる。さらに、すべてのサイドローブピーク（ＲＭＳ）値に含まれる合計エネルギの平均の平方根によっても特徴づけられる。
【００３５】
自己相関関数と同様に、相互相関関数は最大の相互相関ピーク（ＭＣＰ）値、その最大ピークの複数の値、またはすべての相互相関ピーク（ＲＭＳ）値に含まれるエネルギの平均の平方根によっても特徴づけられる。
【００３６】
一般的に、特定の同期符号と他のすべての可能な同期符号との、最大自己相関のサイドローブ値（ＭＡＳ）、および自己相関関数のエネルギ（ＲＭＳ）値の平均の平方根、およびすべての最大相互相関ピーク値（ＭＣＰ）、およびその相関関数のエネルギピーク（ＲＭＳ）値の平均の平方根が減少すると、特定の同期符号の検出性能は向上する。優れた自己相関の特徴および優れた相互相関の特徴を伴う同期符号を選択することは、セル検出性能を全体的に向上させ、ひいては同期手順の性能を向上させ、移動局の処理負荷とバッテリの寿命を減少させる。
【００３７】
本発明の別の特徴によれば、本発明の方法はＭ個の使用された第２の同期符号ＳＳＣのサブセット内で、Ｎ個の使用可能な二次同期符号ＳＳＣからすべての可能な組合せの中で、Ｍ＝Ｋ＊Ｌとなるように、Ｋ個の二次同期符号ＳＳＣからなる最良のＬ個のグループを選択するステップを含む。
【００３８】
いずれの場合でも、使用される同期符号のサブセットに関する相関特徴の選択、したがって最適化は、Ｍ＜Ｎである限り常に可能であることに注意されたい。
【００３９】
本発明の別の特徴によれば、Ｍ個の二次同期符号ＳＳＣの選択ステップは、検出の点で最悪である自己相関関数および相互相関関数の統計的な特徴の少なくとも１つを有するＮ−Ｍ個の二次相関符号ＳＳＣを破棄するステップと、Ｍ個の残りの二次同期符号ＳＳＣを保持するステップとを含む。
【００４０】
図４の表１、表２および表３は、Ｗ−ＣＤＭＡ  ＦＤＤおよびＴＤＤシステム内で使用可能であり、技術仕様３ＧＰＰ  ＴＳＧ  ＲＡＮ  ＴＳ２５．２１３  ｖ３２０「Spreading and Modulation（ＦＤＤ）」、セクション５．２．３．１、２１ｆｆページ、および３ＧＰＰ  ＴＳＧ  ＲＡＮ  ＴＳ２５．２２３  ｖ３２０「Spreading and Modulation （ＴＤＤ）」セクション７．１、１０ｆｆページに説明されている現在の技術水準での最新の同期符号の、自己相関関数およびすべての相互相関関数に関する統計的な特徴の一部をまとめたものである。
【００４１】
図１を参照すると、Ｍ＝１２個の二次同期符号ＳＳＣの選択は、自己相関関数において最悪の値のオフピーク最大自己相関サイドローブ値（ＭＡＳ）を有するＮ−Ｍ＝４個の二次同期符号ＳＳＣを破棄し、残りを保持すると、ＳＳＣ0、ＳＳＣ1、ＳＳＣ2、ＳＳＣ3、ＳＳＣ6、ＳＳＣ7、ＳＳＣ8、ＳＳＣ9、ＳＳＣ12、ＳＳＣ13、ＳＳＣ14、ＳＳＣ15という結果を得る。
【００４２】
自己相関関数においてエネルギピーク（ＲＭＳ）値の平均の平方根の最悪の値を有するＮ−Ｍ＝４個の二次同期符号ＳＳＣを破棄し、残りを保持すると、結果は、ＳＳＣ0、ＳＳＣ1、ＳＳＣ2、ＳＳＣ3、ＳＳＣ6、ＳＳＣ7、ＳＳＣ8、ＳＳＣ9、ＳＳＣ12、ＳＳＣ13、ＳＳＣ14、ＳＳＣ15となる。
【００４３】
一次同期符号ＰＳＣとの相互相関関数において最悪の最大相互相関ピーク値（ＭＣＰ）を有するＮ−Ｍ＝４個の二次同期符号ＳＳＣを破棄し、残りを保持すると、結果は、ＳＳＣ0、ＳＳＣ1、ＳＳＣ3、ＳＳＣ4、ＳＳＣ5、ＳＳＣ6、ＳＳＣ8、ＳＳＣ10、ＳＳＣ12、ＳＳＣ13、ＳＳＣ14、ＳＳＣ15となる。
【００４４】
一次同期符号ＰＳＣとの相互相関関数においてエネルギピーク（ＲＭＳ）の平均の平方根の最悪の値を有するＮ−Ｍ＝４個の二次同期符号ＳＳＣを破棄し、残りを保持すると、結果は、ＳＳＣ0、ＳＳＣ1、ＳＳＣ4、ＳＳＣ5、ＳＳＣ6、ＳＳＣ8、ＳＳＣ10、ＳＳＣ11、ＳＳＣ12、ＳＳＣ13、ＳＳＣ14、ＳＳＣ15となる。
【００４５】
他のすべての二次同期符号ＳＳＣとの相互相関関数において、最悪の最大相互相関ピーク値（ＭＣＰ）を有するＮ−Ｍ＝４個の二次同期符号ＳＳＣを破棄し、残りを保持すると、結果は、ＳＳＣ0、ＳＳＣ1、ＳＳＣ2、ＳＳＣ4、ＳＳＣ8、ＳＳＣ9、ＳＳＣ10、ＳＳＣ11、ＳＳＣ12、ＳＳＣ13、ＳＳＣ14、ＳＳＣ15となる。
【００４６】
他のすべての二次同期符号ＳＳＣとの相互相関関数において、エネルギピーク（ＲＭＳ）の平均の平方根の最悪の値を有するＮ−Ｍ＝４個の二次同期符号ＳＳＣを破棄し、残りを保持すると、結果は、ＳＳＣ0、ＳＳＣ2、ＳＳＣ4、ＳＳＣ5、ＳＳＣ6、ＳＳＣ7、ＳＳＣ8、ＳＳＣ10、ＳＳＣ11、ＳＳＣ12、ＳＳＣ13、ＳＳＣ14となる。
【００４７】
本発明の別の特徴によれば、Ｍ個の二次同期符号ＳＳＣの選択ステップは、検出の点で最良のL個の符号グループを選択するステップを含み、各グループはシステムの、N個のすべての使用可能な二次同期符号ＳＳＣのうちＭ＝Ｋ＊ＬとなるようなＫ個の異なる二次同期符号ＳＳＣから成る。
【００４８】
たとえば、Ｍ＝Ｌ＊Ｋ＜Ｎとなるように、各々がＫ個の異なる二次同期符号ＳＳＣからなるＬ個の符号グループのすべての可能な組合せが考慮され、各符号グループの二次同期符号ＳＳＣの自己相関関数の統計的な特徴、各々と同じ符号グループ内および他の符号グループ内のすべての他の二次同期符号ＳＳＣとの相互相関関数の統計的な特徴、および各々と一次同期符号ＰＳＣとの相互相関関数の統計的な特徴が決定される。ついでこれらの特徴が評価され、知られた符号グループの特徴と比較され、最良の組み合わせのＬ（Ｌ＝Ｍ：Ｋ）個の符号グループが選択される。
【００４９】
システムの可能な二次同期符号ＳＳＣの数Ｎが１６であり、これらが表１に示されていると仮定する。
【００５０】
下に与えられる選択ステップの実施形態によって、システムのＮ＝１６個の使用可能な二次同期符号ＳＳＣから、各々がＫ＝３個の異なる二次同期符号ＳＳＣからなるＬ＝４組の二次同期符号ＳＳＣの選択は、｛ＳＳＣ1、ＳＳＣ2、ＳＳＣ3；ＳＳＣ12、ＳＳＣ13、ＳＳＣ14；ＳＳＣ0、ＳＳＣ6、ＳＳＣ15；ＳＳＣ5、ＳＳＣ8、ＳＳＣ11｝という結果を与える。
【００５１】
本発明の別の特徴によれば、Ｍ個の二次同期符号ＳＳＣの選択ステップは、検出の点で最良である符号グループを選択するステップを含み、各グループは、たとえば本発明の上記の選択ステップによりあらかじめ選択されたＭ個の二次同期符号ＳＳＣのうちＫ個の異なる二次同期符号ＳＳＣから成る。
【００５２】
以前と同じように、各々がＭ＝Ｌ＊Ｋ＜ＮとなるようなＫ個の異なる二次同期符号ＳＳＣから成り、Ｍ個のあらかじめ選択された二次同期符号ＳＳＣから形成されるＬ個の符号グループのすべての可能な組合せが考慮され、各符号グループの二次同期符号ＳＳＣの自己相関関数の統計的な特徴、各々と同じ符号グループ内および他の符号グループ内のすべての他の二次同期符号ＳＳＣとの相互相関関数の統計的な特徴、および各々と一次同期符号ＰＳＣとの相互相関関数の統計的な特徴が決定される。ついで、これらの特徴が評価され、知られた符号グループの特徴と比較され、最良の組み合わせのＬ（Ｌ＝Ｍ：Ｋ）個の符号グループが選択される。
【００５３】
このプロセスは、あらかじめ選択された二次同期符号ＳＳＣが、自己相関関数においてオフピーク最大自己相関サイドローブ値（ＭＡＳ）の最悪の値を有するかまたは、エネルギピーク（ＲＭＳ）の平均の平方根の最悪の値を有する４個の二次同期符号ＳＳＣを破棄することによって与えられる場合は、｛ＳＳＣ2、ＳＳＣ9、ＳＳＣ14；ＳＳＣ6、ＳＳＣ12、ＳＳＣ15；ＳＳＣ0、ＳＳＣ1、ＳＳＣ8；ＳＳＣ3、ＳＳＣ7、ＳＳＣ13｝という結果を与える。
【００５４】
別の解答は、｛ＳＳＣ7、ＳＳＣ13、ＳＳＣ14；ＳＳＣ6、ＳＳＣ12、ＳＳＣ15；ＳＳＣ0、ＳＳＣ1、ＳＳＣ8；ＳＳＣ2、ＳＳＣ3、ＳＳＣ9｝になるであろう。
【００５５】
あらかじめ選択された二次同期符号ＳＳＣが、一次同期符号ＰＳＣとの相互相関関数において、最悪の最大相互相関ピーク値（ＭＣＰ）、または、エネルギピーク（ＲＭＳ）の平均の最悪の平方根を有する４個の二次同期符号ＳＳＣを破棄したことによって与えられる時、｛ＳＳＣ4、ＳＳＣ6、ＳＳＣ10；ＳＳＣ12、ＳＳＣ13、ＳＳＣ14；ＳＳＣ0、ＳＳＣ1、ＳＳＣ15；ＳＳＣ5、ＳＳＣ8、ＳＳＣ11｝となる。
【００５６】
以上のように、本発明にかかる二次同期符号を移動体通信システムの基地局に割り付ける方法は、移動体通信システムで使用される各種移動端末における二次同期符号を基地局に割り付けるシステムに有用である。
【符号の説明】
【００５７】
ＳＳＣ０，ＳＳＣ１，ＳＳＣ２，ＳＳＣ３，ＳＳＣ４，ＳＳＣ５，ＳＳＣ６，ＳＳＣ７，ＳＳＣ８，ＳＳＣ９，ＳＳＣ１０，ＳＳＣ１１，ＳＳＣ１２，ＳＳＣ１３，ＳＳＣ１４，ＳＳＣ１５  二次同期符号。
【図１】
2011176857.tif 000003
【図２】
2011176857.tif 000004
【図３】
2011176857.tif 000005
【図４】
2011176857.tif 000006